(57)【要約】【課題】愛玩動物が生活するのに十分広い内部空間を有し、小型であり、インテリア性を有する愛玩動物用の小屋を提供する。【解決手段】愛玩動物用の小屋１は、空洞状の内部及びこの内部に通じる穴部２ａが形成された本体２及び本体２を支持する脚部５を備え、本体２は、一軸方向のいずれの位置についても一軸方向に垂直な面内における断面形状が円形である。脚部５により支持される本体２に空洞状の内部及びこの内部に通じる穴部２ａが形成されていることで、愛玩動物が穴部２ａを介して内部に出入りすることができ、内部が空洞状であることで穴部２ａを除いて外部から覗くことができない空間となり、愛玩動物がその中で落ち着いて生活することができ、本体２が一軸方向のいずれの位置についても一軸方向に垂直な面内における断面形状が円形であることで、愛玩動物が生活するのに十分広い内部空間が得られる。【選択図】図１
0003205687.tif 000002
【実用新案登録請求の範囲】
【請求項１】
愛玩動物が内部に入ることができる愛玩動物用の小屋であって、
空洞状の内部及び該内部に通じる穴部が形成された本体と、
前記本体を支持する脚部と、
を備え、
前記本体は、一軸方向のいずれの位置についても前記一軸方向に垂直な面内における断面形状が円形であることを特徴とする愛玩動物用の小屋。
【請求項２】
前記一軸方向は、鉛直方向であることを特徴とする、請求項１に記載の愛玩動物用の小屋。
【請求項３】
前記円形の直径は、前記一軸方向について連続的に変化し、前記一軸方向に関する前記本体の両端部の間に一つのみの極大を有することを特徴とする、請求項１又は２に記載の愛玩動物用の小屋。
【請求項４】
前記本体は、卵形及び回転楕円形のいずれかの形状を有することを特徴とする、請求項３に記載の愛玩動物用の小屋。
【請求項５】
前記本体は、前記内部に水平な床面を有することを特徴とする、請求項１から４のいずれか一項に記載の愛玩動物用の小屋。
【請求項６】
前記脚部は、前記本体の前記穴部を約１５０〜２７０ｃｍの高さに支持する長さを有することを特徴とする、請求項１から５のいずれか一項に記載の愛玩動物用の小屋。
【請求項７】
前記内部に設けられるクッション材をさらに備えることを特徴とする、請求項１から７のいずれか一項に記載の愛玩動物用の小屋。
【請求項８】
前記内部に愛玩動物用遊具が固定されていることを特徴とする、請求項１から８のいずれか一項に記載の愛玩動物用の小屋。
【考案の詳細な説明】
【技術分野】
【０００１】
本考案は、愛玩動物が内部に入ることができる愛玩動物用の小屋に関する。
【背景技術】
【０００２】
今日の住宅事情により、猫、犬（但し、小型犬）等の愛玩動物を室内で飼育することが増えている。ここで、寝床、遊ぶ場所等として、室内に小屋（特許文献１参照）を設けることもある。しかし、室内のスペースは限られ、小屋を設けることは困難である。そこで、出願人は、愛玩動物が内部に入り、その愛玩動物を食事中等に観賞することができるテーブルを考案した（特許文献２）。このテーブルによれば、愛玩動物用の小屋として兼用することができ、室内のスペースを有効に利用することも可能となる。
【０００３】
一方、愛玩動物用の小屋としては、小型でありつつも愛玩動物が生活するのに十分広い内部空間を有し、かつ、室内に設置するインテリア性を有するものが求められている。
【先行技術文献】
【特許文献】
【０００４】
【特許文献１】特開２００４−０４９１１７号公報
【特許文献２】実用新案登録第３２０３６６０号公報
【考案の概要】
【考案が解決しようとする課題】
【０００５】
本考案は、愛玩動物が生活するのに十分広い内部空間を有し、小型であり、インテリア性を有する愛玩動物用の小屋を提供することを課題とする。
【課題を解決するための手段】
【０００６】
本考案は、愛玩動物が内部に入ることができる愛玩動物用の小屋であって、空洞状の内部及び該内部に通じる穴部が形成された本体と、本体を支持する脚部と、を備え、本体は、一軸方向のいずれの位置についても一軸方向に垂直な面内における断面形状が円形であることを特徴とする愛玩動物用の小屋である。
【０００７】
これによれば、脚部により支持される本体に空洞状の内部及びこの内部に通じる穴部が形成されていることで、愛玩動物が穴部を介して内部に出入りすることができ、内部が空洞状であることで穴部を除いて外部から覗くことができない空間となり、愛玩動物がその中で落ち着いて生活することができ、本体が一軸方向のいずれの位置についても一軸方向に垂直な面内における断面形状が円形であることで、愛玩動物が生活するのに十分広い内部空間が得られる。
【０００８】
本考案の愛玩動物用の小屋は、一軸方向は、鉛直方向であることを特徴とする。
【０００９】
これによれば、一軸方向が鉛直方向であることで、本体の鉛直方向の形状に依らず本体を脚部により安定に支持することができる。
【００１０】
本考案の愛玩動物用の小屋は、円形の直径は、一軸方向について連続的に変化し、一軸方向に関する本体の両端部の間に一つのみの極大を有することを特徴とする。
【００１１】
これによれば、円形の直径が、一軸方向について連続的に変化し、一軸方向に関する本体の両端部の間に一つのみの極大を有することで、本体の内部が一軸方向の両端の間で最も拡がり、内部空間を愛玩動物が生活するのに有効に利用することができる。
【００１２】
本考案の愛玩動物用の小屋は、本体は、卵形及び回転楕円形のいずれかの形状を有することを特徴とする。
【００１３】
これによれば、本体は、卵形及び回転楕円形のいずれかの形状を有することで、インテリア性を得ることができる。
【００１４】
本考案の愛玩動物用の小屋は、本体は、内部に水平な床面を有することを特徴とする。
【００１５】
これによれば、本体が、内部に水平な床面を有することで、愛玩動物が内部の床面上で落ち着いて生活することができる。
【００１６】
本考案の愛玩動物用の小屋は、脚部は、本体の穴部を約１５０〜２７０ｃｍの高さに支持する長さを有することを特徴とする。
【００１７】
これによれば、脚部は、本体の穴部を約１５０〜２７０ｃｍの高さに支持する長さを有することで、愛玩動物が穴部を介して内部に入ることができる。
【００１８】
本考案の愛玩動物用の小屋は、内部に設けられるクッション材をさらに備えることを特徴とする。
【００１９】
これによれば、内部にクッション材が設けられていることで、愛玩動物が内部のクッション材上で寝ることができる。また、安全である。
【００２０】
本考案の愛玩動物用の小屋は、内部に愛玩動物用遊具が固定されていることを特徴とする。
【００２１】
これによれば、遊具があることを知った愛玩動物が、内部に入ることを好む。なお、ここで「遊具」とは愛玩動物が好むものであれば何であってもよく、回転する車、階段状の床などが含まれる。また、遊ぶものではないが、猫を愛玩動物とする場合には爪砥ぎ具であってもよい。
【考案の効果】
【００２２】
本考案によれば、愛玩動物が生活するのに十分広い内部空間を有し、小型であり、インテリア性を有する愛玩動物用の小屋を提供することができる。
【図面の簡単な説明】
【００２３】
【図１】図１は、第１の実施形態に係る愛玩動物用の小屋の構成を示す図である。
【図２】図２は、第２の実施形態に係る愛玩動物用の小屋の構成を示す図である。
【考案を実施するための形態】
【００２４】
以下、本考案の実施形態について説明する。
【００２５】
図１に、第１の実施形態に係る愛玩動物用の小屋（単に小屋とも呼ぶ）１の構成を示す。ここで、図１（Ａ）及び図１（Ｂ）は、それぞれ、底面図及び側面図である。図１（Ａ）及び図１（Ｂ）における左右方向を横方向、図１（Ａ）における上下方向を縦方向、図１（Ｂ）における上下方向を高さ方向とする。テーブル１は、猫等の愛玩動物が内部に入ることができる小屋１であり、本体２及び脚部５を含んで構成される。
【００２６】
本体２は、空洞状の内部空間を有する部材である。内部空間は、後述する穴部２ａを除いて外部から覗くことができず、愛玩動物がその中で落ち着いて生活することができる。
【００２７】
本体２は、一軸方向のいずれの位置についても垂直な面内における断面形状が円形である立体形状を有する。円形は、周長に対する面積の比率が最大の平面図形である。すなわち、断面積を大きくして本体２の内部空間の体積を大きくしている。また、断面円形であって本体２の表面が平面ではないので、本体表面を折り曲げる力に対して強度が高い。
【００２８】
ここで、円形の直径は、一軸方向について連続的に変化し、一軸方向に関する本体２の両端部の間に極大を有する。これにより、本体２の内部が一軸方向の両端の間で最も拡がり、十分広い内部空間が得られ、愛玩動物が生活するのに有効に利用することができる。
【００２９】
本実施形態では、本体２は、一例として、表面がフッ素塩酸処理されたスチール製のプレートから、直径（Ｄ）６０ｃｍ及び高さ（Ｈ−ｈ）２６ｃｍの回転楕円形状に成形されている。あわせて本体２の外表面を例えば薄緑色（空豆の色）に塗装することで、インテリア性が向上する。
【００３０】
また、本実施形態では、一軸方向を床面Ｆに対する垂直方向、すなわち鉛直方向としている。これにより、本体２の鉛直方向の形状に依らず本体２を後述する脚部５により安定に支持することができる。
【００３１】
本体２には、内部に通じる穴部２ａが、本体２の縦方向の一側及び他側にそれぞれ形成されている。各穴部２ａは、１０ｃｍ以上の幅を有する。本実施形態では、穴部２ａは、横方向を長手とする楕円形を有し、その長手の長さｗは１１ｃｍ、短手の長さは９ｃｍである。それにより、小型の愛玩動物が穴部２ａを通って本体２の内部の空間に入ることができる。
【００３２】
本体２の内部には水平な床面２ｂが設けられている。これにより、愛玩動物が内部の床面２ｂ上で落ち着いて生活することができる。
【００３３】
脚部５は、床面Ｆ上で本体２を支持する部材であり、複数の脚部材５ａを有する。脚部材５ａは、本体２の底面上に９０度間隔で４つ設けられている。各脚部材５ａは、一例として、長さ１２ｃｍ及び直径１．５ｃｍの管状に成形され、その表面はメラミン焼付塗装されている。各脚部材５ａの一端は本体２の底面上に傾動可能に固定され、他端には床面Ｆに面接触する円盤状の支持部材が固定されている。脚部５により、本体２の穴部２ａが、愛玩動物が穴部２ａを介して内部に入ることができる程度の約１５０〜２７０ｃｍの高さに支持される。
【００３４】
以上詳細に説明したように、本実施形態の愛玩動物用の小屋１は、空洞状の内部及びこの内部に通じる穴部２ａが形成された本体２及び本体２を支持する脚部５を備え、本体２は、一軸方向のいずれの位置についても一軸方向に垂直な面内における断面形状が円形である。脚部５により支持される本体２に空洞状の内部及びこの内部に通じる穴部２ａが形成されていることで、愛玩動物が穴部２ａを介して内部に出入りすることができ、内部が空洞状であることで穴部２ａを除いて外部から覗くことができない空間となり、愛玩動物がその中で落ち着いて生活することができ、本体２が一軸方向のいずれの位置についても一軸方向に垂直な面内における断面形状が円形であることで、愛玩動物が生活するのに十分広い内部空間が得られる。
【００３５】
図２に、第２の実施形態に係る小屋１１の構成を示す。先述の小屋１における構成要素と対応する要素には同じ符号を付し、詳細説明を省略する。ここで、図２（Ａ）及び図２（Ｂ）は、それぞれ、底面図及び側面図である。図２（Ａ）及び図２（Ｂ）における左右方向を横方向、図２（Ａ）における上下方向を縦方向、図２（Ｂ）における上下方向を高さ方向とする。小屋１１は、本体２及び脚部５を含んで構成される。
【００３６】
本体２は、空洞状の内部空間を有する部材である。本実施形態では、本体２は、直径（Ｄ）３６ｃｍ及び高さ（Ｈ−ｈ）３６ｃｍの卵形状に成形されている。これに合わせて、本体２の外表面を白色に塗装してもよい。これにより、インテリア性が向上する。
【００３７】
本体２には、内部に通じる穴部２ａが、本体２の縦方向の一側及び他側にそれぞれ形成されている。本実施形態では、穴部２ａは、直径１０ｃｍの円形を有する。それにより、小型の愛玩動物が穴部２ａを通って本体２の内部の空間に入ることができる。
【００３８】
脚部５は、先述の実施形態におけるそれと同様に構成されている。
【００３９】
以上詳細に説明したように、本実施形態の愛玩動物の小屋１１は、空洞状の内部及びこの内部に通じる穴部２ａが形成された本体２及び本体２を支持する脚部５を備え、本体２は、一軸方向のいずれの位置についても一軸方向に垂直な面内における断面形状が円形であり、先述の小屋１と同様の効果が得られる。
【００４０】
なお、第１及び第２の実施形態に係る愛玩動物の小屋１，１１において、本体２の内部にクッション材（不図示）を設けてもよい。それにより、愛玩動物が本体２の内部のクッション材上で寝ることができる。また、クッションにより、愛玩動物が内面にぶつかった場合に傷ついてしまうことを防ぎ、安全である。
【００４１】
さらに、本体２の内部に遊具を固定してもよい。遊具としては回転車、階段状の床などが考えられる。ボール等の遊具は飼い主が本体２の内部に入れることができるが、内部に固定されて飼い主が入れるものではない遊具をも活用することができる。遊具を知った愛玩動物が好んで内部に入るようになる。また、遊ぶものではないが、猫を愛玩動物とする場合には爪砥ぎ具であってもよい。愛玩動物が好むものであれば同様の効果を得る。
【００４２】
また、脚部５に含まれる脚部材５ａは、例えば１０〜１００ｃｍの範囲で可変長に構成してもよい。それにより、愛玩動物の体長に応じて、穴部２ａを介して小屋１，１１の内部に入ることができるように穴部２ａの高さを調節することができる。
【産業上の利用可能性】
【００４３】
本考案の愛玩動物用の小屋は、愛玩動物が生活するのに十分広い内部空間を有し、小型であり、インテリア性を有する愛玩動物用の小屋を提供する。多くの動物愛好者の利用が考えられる。
【符号の説明】
【００４４】
１    小屋
２    本体
２ａ  穴部
２ｂ  床面
５    脚部
５ａ  脚部材
１１  小屋
【図１】
0003205687.tif 000003
【図２】
0003205687.tif 000004
【手続補正書】
【提出日】平成28年6月12日(2016.6.12)
【手続補正１】
【補正対象書類名】実用新案登録請求の範囲
【補正対象項目名】請求項７
【補正方法】変更
【補正の内容】
【請求項７】
前記内部に設けられるクッション材をさらに備えることを特徴とする、請求項１から６のいずれか一項に記載の愛玩動物用の小屋。
【手続補正２】
【補正対象書類名】実用新案登録請求の範囲
【補正対象項目名】請求項８
【補正方法】変更
【補正の内容】
【請求項８】
前記内部に愛玩動物用遊具が固定されていることを特徴とする、請求項１から７のいずれか一項に記載の愛玩動物用の小屋。